(57)【要約】  【課題】  端子の幅を必要以上に太くすることなく、良好なコネクタ接続機能を実現することのできるコネクタ構造を提供する。  【解決手段】  端子４は、第１の方向へ向けて延びる根元側の第１部分１２と、第１の方向から第２の方向へ向けて折り曲げられる先端側の第２部分１３を備える。コネクタ部品３は、端子４の根元側を覆う第１部品１０と、端子４の先端側を覆う第２部品１１を備える。第１部品１０は、第１根元当接面２５と第１先端当接面２６を備え、第２部品１１は、第２根元当接面２７と第２先端当接面２８を備える。端子４の第１部分１２は、第１根元当接面２５と第２根元当接面２７とによって挟み込まれ、第２の方向への変形が抑制されるように保持される。端子４の第２部分１３は、第１先端当接面２６と第２先端当接面２８とによって挟み込まれ、第１の方向への変形が抑制されるように保持される。【選択図】  図３
2015162324.tif 000002
【特許請求の範囲】
【請求項１】
機器と電気的接続を成す端子を内部に有するコネクタ部品のコネクタ構造であって、
前記端子は、前記機器から第１の方向へ向けて延びる根元側の第１部分と、前記第１の方向から前記第１の方向とは異なる第２の方向へ向けて折り曲げられる先端側の第２部分とを備え、
前記コネクタ部品は、前記機器に取り付けられ前記端子の根元側を覆うように構成される第１部品と、前記第１部品に取り付けられ前記端子の先端側を覆うように構成される第２部品とを備え、
前記第１部品は、前記第１の方向に沿って設けられ前記端子の前記第１部分に当接する第１根元当接面と、前記第２の方向に沿って設けられ前記端子の前記第２部分に当接する第１先端当接面とを備え、
前記第２部品は、前記第１の方向に沿って設けられ前記端子の前記第１部分に当接する第２根元当接面と、前記第２の方向に沿って設けられ前記端子の前記第２部分に当接する第２先端当接面とを備え、
前記端子の前記第１部分は、前記第１根元当接面と前記第２根元当接面とによって挟み込まれ、前記第２の方向への変形が抑制されるように保持され、
前記端子の前記第２部分は、前記第１先端当接面と前記第２先端当接面とによって挟み込まれ、前記第１の方向への変形が抑制されるように保持される、
ことを特徴とするコネクタ構造。
【請求項２】
前記端子の前記第２部分は、根元側の本体部と、前記本体部の先端側に設けられ前記端子の幅方向に広げられた幅広先端部とを備え、
前記第１部品は、前記本体部を前記端子の幅方向の両側から挟んで保持する保持突部を備え、
前記保持突部は、前記幅広先端部に当接する当接壁面を備える、請求項１に記載のコネクタ構造。
【請求項３】
前記端子の前記第２部分は、前記本体部の中央に設けられ前記端子の幅方向に広げられた幅広中央部を備え、
前記保持突部は、前記幅広中央部を係止する係止壁面を備える、請求項２に記載のコネクタ構造。
【請求項４】
前記端子の前記第１部分は、前記機器から前記第１の方向および前記第２の方向と異なる第３の方向へ向けて延びる部分と、前記第３の方向から折り曲げられて前記第１の方向へ向けて延びる部分とを備える、請求項１または２に記載のコネクタ構造。
【発明の詳細な説明】
【技術分野】
【０００１】
本発明は、機器と外部コネクタ（相手コネクタ）との間で電気的接続を成すコネクタ構造に関し、特に、端子が折り曲げられ、かつ、コネクタ部品が用いられるコネクタ構造に関する。
【背景技術】
【０００２】
従来から、自動車部品やＯＡ機器、ロボット等の産業機器や家庭用電気製品の部品間、機器間のコネクタ構造として、様々なものが提案されている。例えば、端子（ＦＦＣ１）が折り曲げられ、コネクタ用の部品（保持材２）が用いられるコネクタ構造（導体接続構造）が提案されている（特許文献１参照）。
【０００３】
この従来のコネクタ構造では、良好なコネクタ接続機能を得るために、ＦＦＣ１に折り返し爪１３が設けられ、保持材２に抜け止め用突起２１が設けられており、ＦＦＣ１の折り返し爪１３と保持材２の抜け止め用突起２１によって、ＦＦＣ１の位置が規制され保持材２に固定されている。
【先行技術文献】
【特許文献】
【０００４】
【特許文献１】特開２００１−２３７０１３号公報
【発明の概要】
【発明が解決しようとする課題】
【０００５】
しかしながら、従来のコネクタ構造においては、端子（ＦＦＣ１）に折り返し爪１３を設けているので、その折り返し爪１３の分だけ、ＦＦＣ１の電流路の幅を狭めてしまうことになる。そのため、ＦＦＣ１に流すことのできる電流量を十分に確保しようとすると、ＦＦＣ１の幅を必要以上に太くせざるを得ないという問題があった。
【０００６】
本発明は、上記の課題に鑑みてなされたもので、端子の幅を必要以上に太くすることなく、良好なコネクタ接続機能を実現することのできるコネクタ構造を提供することを目的とする。
【課題を解決するための手段】
【０００７】
本発明のコネクタ構造は、機器と電気的接続を成す端子を内部に有するコネクタ部品のコネクタ構造であって、前記端子は、前記機器から第１の方向へ向けて延びる根元側の第１部分と、前記第１の方向から前記第１の方向とは異なる第２の方向へ向けて折り曲げられる先端側の第２部分とを備え、前記コネクタ部品は、前記機器に取り付けられ前記端子の根元側を覆うように構成される第１部品と、前記第１部品に取り付けられ前記端子の先端側を覆うように構成される第２部品とを備え、前記第１部品は、前記第１の方向に沿って設けられ前記端子の前記第１部分に当接する第１根元当接面と、前記第２の方向に沿って設けられ前記端子の前記第２部分に当接する第１先端当接面とを備え、前記第２部品は、前記第１の方向に沿って設けられ前記端子の前記第１部分に当接する第２根元当接面と、前記第２の方向に沿って設けられ前記端子の前記第２部分に当接する第２先端当接面とを備え、前記端子の前記第１部分は、前記第１根元当接面と前記第２根元当接面とによって挟み込まれ、前記第２の方向への変形が抑制されるように保持され、前記端子の前記第２部分は、前記第１先端当接面と前記第２先端当接面とによって挟み込まれ、前記第１の方向への変形が抑制されるように保持されている。
【０００８】
これにより、端子の第１部分（根元側の部分）が第１根元当接面と第２根元当接面とによって挟み込んで保持されるので、端子の根元側の部分が第２の方向へ変形するのを抑制することができる。例えば、第２の方向が相手コネクタの抜き差し方向である場合、相手コネクタの抜き差しをするときに、その押し込み力や引き抜き力によって端子の根元側の部分が第２の方向へ変形する（例えば、上下方向に撓む）のを防ぐことができる。また、端子の根元側の部分が、第１根元当接面と第２根元当接面とによって挟み込んで保持されるので、端子の根元側の部分の第２の方向の位置決め（例えば、上下方向の位置決め）を行うことができる。
【０００９】
さらに、端子の第２部分（先端側の部分）が第１先端当接面と第２先端当接面とによって挟み込んで保持されるので、端子の先端側の部分が第１の方向へ変形するのを抑制することができる。例えば、第２の方向が相手コネクタの抜き差し方向である場合、相手コネクタの抜き差しをするときに、端子の先端側の部分が第１の方向へ変形する（例えば、前後方向に倒れる）のを防ぐことができる。また、端子の先端側の部分が、第１先端当接面と第２先端当接面とによって挟み込んで保持されるので、端子の先端側の部分の第１の方向の位置決め（例えば、前後方向の位置決め）を行うことができる。
【００１０】
このように、端子の変形防止や位置決めが行われることにより、良好なコネクタ接続機能を実現することができる。また、この場合、従来のように電流路の幅を狭めてしまう構成（折り返し爪のような構成）を端子に設けていないので、端子の幅を必要以上に太くすることなく電流量を十分に確保することができる。
【００１１】
また、本発明のコネクタ構造では、前記端子の前記第２部分は、根元側の基部と、前記基部の先端側に設けられ前記端子の幅方向に広げられた幅広先端部とを備え、前記第１部品は、前記基部を前記端子の幅方向の両側から挟んで保持する保持突部を備え、前記保持突部は、前記幅広先端部に当接する当接壁面を備えてもよい。
【００１２】
これにより、端子の第２部分（先端側の部分）の基部が保持突部によって端子の幅方向の両側から挟んで保持されるので、端子の先端側の部分の幅方向の位置決めを行うことができる。また、端子の幅広先端部が保持突部の当接壁面に当接するので、幅広先端部が根元側に移動するのを抑制することができる。例えば、相手コネクタを差し込むときに、その押し込み力によって端子が根元側に移動する（押し込まれる）のを防ぐことができる。
【００１３】
また、本発明のコネクタ構造では、前記端子の前記第２部分は、前記基部の中央に設けられ前記端子の幅方向に広げられた幅広中央部を備え、前記保持突部は、前記幅広中央部を係止する係止壁面を備えてもよい。
【００１４】
これにより、端子の幅広中央部が保持突部の係止壁面に係止するので、幅広中央部が先端側に移動するのを抑制することができる。例えば、相手コネクタを引き抜くときに、その引き抜き力によって端子が先端側に移動する（引き出される）のを防ぐことができる。
【００１５】
また、本発明のコネクタ構造では、前記端子の前記第１部分は、前記機器から前記第１の方向および前記第２の方向と異なる第３の方向へ向けて延びる部分と、前記第３の方向から折り曲げられて前記第１の方向へ向けて延びる部分とを備えてもよい。
【００１６】
これにより、端子が２回折り曲げられる。すなわち、端子が、第３の方向から第１の方向へ折り曲げられ、さらに、第１の方向から第２の方向へ折り曲げられる。端子を２回折り曲げることにより、端子を１回折り曲げる場合に比べて、コネクタ接続の設計自由度が高くなる。
【発明の効果】
【００１７】
本発明によれば、端子の幅を必要以上に太くすることなく、良好なコネクタ接続機能を実現することができる。
【図面の簡単な説明】
【００１８】
【図１】本発明の第１の実施の形態におけるコネクタ構造の分解斜視図
【図２】本発明の第１の実施の形態におけるコネクタ部品の要部拡大図
【図３】図２におけるＩＩＩ−ＩＩＩ断面図
【図４】第１の実施の形態の変形例（端子）の斜視図
【図５】第１の実施の形態の変形例（コネクタ構造）の要部拡大図
【図６】本発明の第２の実施の形態におけるコネクタ構造の分解斜視図
【図７】本発明の第２の実施の形態におけるコネクタ構造を裏側からみた分解斜視図
【図８】本発明の第２の実施の形態におけるコネクタ部品の要部拡大図
【図９】図８におけるＩＸ−ＩＸ断面図
【図１０】図８におけるＸ−Ｘ断面図
【発明を実施するための形態】
【００１９】
以下、本発明の実施の形態のコネクタ構造について、図面を用いて説明する。本実施の形態では、自動車部品（例えば、変速機用のアクチュエータ）等の接続に用いられるコネクタ構造の場合を例示する。
【００２０】
（第１の実施の形態）
まず、本発明の第１の実施の形態のコネクタ構造の全体の構成を、図面を参照して説明する。図１は、本実施の形態のコネクタ構造の分解斜視図である。図１に示すように、本実施の形態のコネクタ構造１では、アクチュエータ２にコネクタ部品３が取り付けられて、アクチュエータ２の端子４が相手コネクタ（図示せず）に接続される。アクチュエータ２は円筒形状であり、端子４はアクチュエータ２から延設されている。コネクタ部品３は、二つの部品（第１部品１０と第２部品１１）とを備え、アクチュエータ２に取り付けられている。
【００２１】
次に、本実施の形態のコネクタ構造１の要部の構成について説明する。図２は、本実施の形態のコネクタ部品３の要部拡大図であり、図３は、図２におけるＩＩＩ−ＩＩＩ断面図である。ここでは、まず、端子４の構成について説明し、続いて、コネクタ部品３の構成について説明する。
【００２２】
図１および図３に示すように、端子４は、１回折り曲げられており、アクチュエータ２の後ろ側（図１における右側）の端部から第１の方向（後ろ方向、図３における右方向）へ向けて延びる根元側の部分（第１部分１２）と、第１の方向から第２の方向（上方向、図３における上方向）へ向けて折り曲げられる先端側の部分（第２部分１３）を備えている。
【００２３】
図１および図２に示すように、端子４の第２部分１３は、根元側の基部１４と、基部１４の先端側に設けられる幅広先端部１５とを備える。第２部分１３の幅広先端部１５は、端子４の幅方向に広げられた部分である。第２部分１３の基部１４の幅は、端子４の第１部分１２の幅と同じである。
【００２４】
図１〜図３に示すように、コネクタ部品３は、端子４の根元側を覆うように構成される第１部品１０と、端子４の先端側を覆うように構成される第２部品１１とを備える。第１部品１０は、アクチュエータ２に後ろ側（図１における右側）から取り付けられ、第２部品１１は、第１部品１０に上側（図３における上側）から取り付けられる。
【００２５】
図１および図２に示すように、コネクタ部品３の第１部品１０は、本体部１６と、アクチュエータ２に取り付けられる環状部１７を備えている。第１部品１０の本体部１６には、端子４の根元側（主として端子４の第１部分１２）を収納する凹部１８が設けられている。また、凹部１８の上側には、端子４（第２部分１３の基部１４）を幅方向の両側（図２における左右両側）から挟んで保持する保持突部１９が設けられている。保持突部１９の上面（図２における上面）は、端子４の幅広先端部１５の下面（図２における下面）に当接する当接壁面２０とされている。さらに、第１部品１０の本体部１６の両側面には、凸部２１が設けられている（図１参照）。
【００２６】
図１〜図３に示すように、コネクタ部品３の第２部品１１は、本体部２２と、本体部２２から下側（第１部品１０の側）に向けて延設される突片２３を備えている。第２部品１１の本体部２２は、端子４の先端側（主として端子４の第２部分１３）を収納するように構成されている。ただし、第２部品１１の本体部２２は上側に開口している。相手コネクタ（図示せず）は、第２部品１１の本体部２２の上側から差し込まれて、端子４と接続される。さらに、第２部品１１の本端部の両側面からは、第１部品１０の凸部２１に係合する係合部２４が下側にむけて延設されている。
【００２７】
そして、図３に示すように、コネクタ部品３の第１部品１０の凹部１８の底面は、第１の方向（前後方向、図３における左右方向）に沿って設けられ、端子４の第１部分１２に下側（図３における下側）から当接する第１根元当接面２５とされている。また、コネクタ部品３の第１部品１０の凹部１８の壁面は、第２の方向（上下方向、図３における上下方向）に沿って設けられ、端子４の第２部分１３に後ろ側（図３における右側）から当接する第１先端当接面２６とされている。
【００２８】
さらに、図３に示すように、コネクタ部品３の第２部品１１の突片２３の底面は、第１の方向（前後方向、図３における左右方向）に沿って設けられ、端子４の第１部分１２に上側（図３における上側）から当接する第２根元当接面２７とされている。また、コネクタ部品３の第２部品１１の突片２３の壁面は、第２の方向（上下方向、図３における上下方向）に沿って設けられ、端子４の第２部分１３に前側（図３における左側）から当接する第２先端当接面２８とされている。
【００２９】
このようにして、端子４の第１部分１２は、第１根元当接面２５と第２根元当接面２７とによって上下から挟み込まれ、第２の方向（上下方向、図３における上下方向）への変形が抑制されるように保持されるとともに、端子４の第２部分１３は、第１先端当接面２６と第２先端当接面２８とによって前記から挟み込まれ、第１の方向（前後方向、図３における左右方向）への変形が抑制されるように保持される。
【００３０】
このような第１の実施の形態のコネクタ構造１によれば、端子４の第１部分１２（根元側の部分）が第１根元当接面２５と第２根元当接面２７とによって上下から挟み込んで保持されるので、端子４の根元側の部分が第２の方向（上下方向、図３における上下方向）へ変形するのを抑制することができる。この場合、第２の方向が相手コネクタの抜き差し方向である。したがって、相手コネクタの抜き差しをするときに、その押し込み力や引き抜き力によって端子４の根元側の部分が第２の方向へ変形する（例えば、上下方向に撓む）のを防ぐことができる。また、端子４の根元側の部分が、第１根元当接面２５と第２根元当接面２７とによって挟み込んで保持されるので、端子４の根元側の部分の第２の方向の位置決め（例えば、上下方向の位置決め）を行うことができる。
【００３１】
さらに、端子４の第２部分１３（先端側の部分）が第１先端当接面２６と第２先端当接面２８とによって前後から挟み込んで保持されるので、端子４の先端側の部分が第１の方向（前後方向、図３における左右方向）へ変形するのを抑制することができる。この場合、第２の方向が相手コネクタの抜き差し方向である。したがって、相手コネクタの抜き差しをするときに、端子４の先端側の部分が第１の方向へ変形する（例えば、前後方向に倒れる）のを防ぐことができる。また、端子４の先端側の部分が、第１先端当接面２６と第２先端当接面２８とによって挟み込んで保持されるので、端子４の先端側の部分の第１の方向の位置決め（例えば、前後方向の位置決め）を行うことができる。
【００３２】
このように、本実施の形態では、端子４の変形防止や位置決めが行われることにより、良好なコネクタ接続機能を実現することができる。また、この場合、従来のように電流路の幅を狭めてしまう構成（折り返し爪のような構成）を端子４に設けていないので、端子４の幅を必要以上に太くすることなく電流量を十分に確保することができる。
【００３３】
また、本実施の形態では、端子４の第２部分１３（先端側の部分）の基部１４が保持突部１９によって端子４の幅方向（図２における左右方向）の両側から挟んで保持されるので、端子４の先端側の部分の幅方向の位置決めを行うことができる。また、端子４の幅広先端部１５が保持突部１９の当接壁面２０に当接するので、幅広先端部１５が根元側に移動するのを抑制することができる。例えば、相手コネクタを差し込むときに、その押し込み力によって端子４が根元側に移動する（押し込まれる）のを防ぐことができる。
【００３４】
（変形例）
図４および図５には、第１の実施の形態のコネクタ構造１の変形例が示される。図４に示すように、端子４の第２部分１３の基部１４の中央には、、端子４の幅方向に広げられた幅広中央部２９が備えられている。そして、図５に示すように、コネクタ部品３の第１部品１０の保持突部１９の下面（図５における下面）は、端子４の幅広中央部２９の上面（図５における上面）に係止する係止壁面３０とされている。
【００３５】
本変形例によれば、端子４の幅広中央部２９が保持突部１９の係止壁面３０に係止するので、幅広中央部２９が先端側に移動するのを抑制することができる。例えば、相手コネクタを引き抜くときに、その引き抜き力によって端子４が先端側に移動する（引き出される）のを防ぐことができる。
【００３６】
（第２の実施の形態）
次に、本発明の第２の実施の形態のコネクタ構造１について説明する。ここでは、第２の実施の形態のコネクタ構造１が、第１の実施の形態と相違する点を中心に説明する。ここで特に言及しない限り、本実施の形態の構成および動作は、第１の実施の形態と同様である。
【００３７】
図６および図７は、本実施の形態のコネクタ構造１の分解斜視図である。また、図８は、本実施の形態におけるコネクタ部品３の要部拡大図であり、図９は、図８におけるＩＸ−ＩＸ断面図であり、図１０は、図８におけるＸ−Ｘ断面図である。図６〜図１０に示すように、本実施の形態では、端子４が、２回折り曲げられている。この場合、端子４の第１部分１２は、アクチュエータ２から第３の方向（後ろ方向、図９における右方向）へ向けて延びる部分３１と、第３の方向から折り曲げられて第１の方向（上方向、図９における上方向）へ向けて延びる部分３２とを備えている。また、端子４の第２部分１３は、第１の方向から第２の方向（前方向、図９における左方向）へ折り曲げられている。
【００３８】
このような本発明の第２の実施の形態のコネクタ構造１によっても、第１の実施の形態と同様の作用効果が奏される。
【００３９】
その上、本実施の形態では、端子４が２回折り曲げられる。すなわち、端子４が、第３の方向から第１の方向へ折り曲げられ、さらに、第１の方向から第２の方向へ折り曲げられる。端子４を２回折り曲げることにより、端子４を１回折り曲げる場合に比べて、コネクタ接続の設計自由度が高くなる。
【００４０】
以上、本発明の実施の形態を例示により説明したが、本発明の範囲はこれらに限定されるものではなく、請求項に記載された範囲内において目的に応じて変更・変形することが可能である。
【産業上の利用可能性】
【００４１】
以上のように、本発明にかかるコネクタ構造は、端子の幅を必要以上に太くすることなく、良好なコネクタ接続機能を実現することができるという効果を有し、自動車部品（例えば、変速機用のアクチュエータ）等の接続に用いられ、有用である。
【符号の説明】
【００４２】
１  コネクタ構造
２  アクチュエータ
３  コネクタ部品
４  端子
１０  第１部品
１１  第２部品
１２  第１部分
１３  第２部分
１４  基部
１５  幅広先端部
１６  本体部
１７  環状部
１８  凹部
１９  保持突部
２０  当接壁面
２１  凸部
２２  本体部
２３  突片
２４  係合部
２５  第１根元当接面
２６  第１先端当接面
２７  第２根元当接面
２８  第２先端当接面
２９  幅広中央部
３０  係止壁面
【図１】
2015162324.tif 000003
【図２】
2015162324.tif 000004
【図３】
2015162324.tif 000005
【図４】
2015162324.tif 000006
【図５】
2015162324.tif 000007
【図６】
2015162324.tif 000008
【図７】
2015162324.tif 000009
【図８】
2015162324.tif 000010
【図９】
2015162324.tif 000011
【図１０】
2015162324.tif 000012